【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
浴室内の空気を吸い込む浴室吸気口と、
前記浴室内に空気を送り出す浴室送風口と、
前記浴室吸気口から吸気した空気を前記浴室送風口へ送風する第１送風部と、
居室内の空気を吸気する居室吸気口と、
前記居室に空気を送風する居室送風口と、
前記居室吸気口から吸気した空気を前記居室送風口へ送風する第２送風部と、
空気を加湿する加湿部と、
前記浴室吸気口から吸気した空気もしくは前記居室吸気口から吸気した空気のいずれか一方の空気を前記加湿部に送風切替する第１ダンパーと、
前記加湿部によって加湿された空気を前記浴室送風口もしくは前記居室送風口のいずれか一方に送風切替する第２ダンパーと、
を備えた浴室空気調和機であって、
前記第１ダンパーと前記第２ダンパーとを切り替えることにより、前記第１送風部を動作させ、前記浴室吸気口、前記加湿部、前記浴室送風口の順に空気を循環させる浴室循環風路と、前記第２送風部を動作させ、前記居室吸気口、前記加湿部、前記居室送風口の順に空気を循環させる居室循環風路と、を切り替えることを特徴とする浴室空気調和機。
【請求項２】
前記第１ダンパーと前記加湿部の間に、空気を加熱する加熱部を備え、
前記加湿部は、前記加熱部によって加熱された空気を加湿することを特徴とする請求項１に記載の浴室空気調和機。
【請求項３】
前記居室内の温度を検出する温度検出センサーと、
前記居室内の湿度を検出する湿度検出センサーと、
前記温度検出センサーと前記湿度検出センサーと前記第１送風部と前記第２送風部とを制御する制御部と、
をさらに備え、
前記制御部は、前記温度検出センサーによって検出した温度と前記湿度検出センサーによって検出した湿度とに基づいて、前記第２送風部の運転を制御することを特徴とする請求項１または２に記載の浴室空気調和機。
【請求項４】
前記制御部は、前記湿度検出センサーによって検出された湿度が所定の閾値以下の場合、前記第２送風部の運転を開始させることを特徴とする請求項３に記載の浴室空気調和機。
【手続補正２】
【補正対象書類名】明細書
【補正対象項目名】０００８
【補正方法】変更
【補正の内容】
【０００８】
そして、本発明の浴室空気調和機は、浴室内の空気を吸気する浴室吸気口と、浴室内に空気を送風する浴室送風口と、浴室吸気口から吸気した空気を浴室送風口へ送風する第１送風部と、居室内の空気を吸気する居室吸気口と、居室に空気を送風する居室送風口と、居室吸気口から吸気した空気を居室送風口へ送風する第２送風部と、空気を加湿する加湿部と、浴室吸気口から吸気した空気もしくは居室吸気口から吸気した空気のいずれか一方の空気を加湿部に送風切替する第１ダンパーと、加湿部によって加湿された空気を浴室送風口もしくは居室送風口のいずれか一方に送風切替する第２ダンパーと、を備えた浴室空気調和機であって、第１ダンパーと第２ダンパーとを切り替えることにより、第１送風部を動作させ、浴室吸気口、加湿部、浴室送風口の順に空気を循環させる浴室循環風路と、第２送風部を動作させ、居室吸気口、加湿部、居室送風口の順に空気を循環させる居室循環風路と、を切り替えることを特徴とする浴室空気調和機を提供することを目的とするものである。
【手続補正３】
【補正対象書類名】明細書
【補正対象項目名】００１２
【補正方法】変更
【補正の内容】
【００１２】
本発明に係る浴室空気調和機は、浴室内の空気を吸気する浴室吸気口と、浴室内に空気を送風する浴室送風口と、浴室吸気口から吸気した空気を浴室送風口へ送風する第１送風部と、居室内の空気を吸気する居室吸気口と、居室に空気を送風する居室送風口と、居室吸気口から吸気した空気を居室送風口へ送風する第２送風部と、空気を加湿する加湿部と、浴室吸気口から吸気した空気もしくは居室吸気口から吸気した空気のいずれか一方の空気を加湿部に送風切替する第１ダンパーと、加湿部によって加湿された空気を浴室送風口もしくは居室送風口のいずれか一方に送風切替する第２ダンパーと、を備えた浴室空気調和機であって、第１ダンパーと第２ダンパーとを切り替えることにより、第１送風部を動作させ、浴室吸気口、加湿部、浴室送風口の順に空気を循環させる浴室循環風路と、第２送風部を動作させ、居室吸気口、加湿部、居室送風口の順に空気を循環させる居室循環風路と、を切り替えることを特徴とするものである。
【手続補正４】
【補正対象書類名】明細書
【補正対象項目名】００１４
【補正方法】変更
【補正の内容】
【００１４】
また、本発明に係る浴室空気調和機は、第１ダンパーと加湿部の間に、空気を加熱する加熱部を備え、加湿部は、加熱部によって加熱された空気を加湿する構成としてもよい。
【手続補正５】
【補正対象書類名】明細書
【補正対象項目名】００１６
【補正方法】変更
【補正の内容】
【００１６】
また、本発明に係る浴室空気調和機は、居室内の温度を検出する温度検出センサーと、居室内の湿度を検出する湿度検出センサーと、温度検出センサーと湿度検出センサーと第１送風部と第２送風部とを制御する制御部を備え、制御部は、温度検出センサーによって検出した温度と湿度検出センサーによって検出した湿度とに基づいて、第２送風部の運転を制御する構成としてもよい。
【手続補正６】
【補正対象書類名】明細書
【補正対象項目名】００１８
【補正方法】変更
【補正の内容】
【００１８】
また、本発明に係る浴室空気調和機では、制御部は、湿度検出センサーによって検出された湿度が所定の閾値以下の場合、第２送風部の運転を開始させる構成としてもよい。
【手続補正７】
【補正対象書類名】明細書
【補正対象項目名】００３５
【補正方法】変更
【補正の内容】
【００３５】
また、リモコン３４から居室加湿運転モードでの動作が入力されると、制御部３３は、リモコン３４からの入力指示に基づき、居室加湿運転を行う。制御部３３は、第２送風部１５を運転すると共に、上流ダンパー２０及び下流ダンパー２１で通風経路を切り替え、居室循環風路１６が加熱部２２及び加湿部２３を通過するように制御する。居室加湿運転モードの場合においては、制御部３３は、温度検出センサー３１および湿度検出センサー３２から受信した情報に基づいて、居室１０内の湿度が４０％から６０％の間に維持するよう、第２送風部１５、加熱部２２および加湿部２３の出力を制御する。つまり、居室１０内の湿度が４０％以下になると、制御部３３は、第２送風部１５、加熱部２２および加湿部２３の出力を上げ、居室１０内の湿度を上昇させる。居室１０内の湿度が目標湿度（例えば４０％以上）に到達した後、制御部３３は、第２送風部１５、加熱部２２および加湿部２３の出力を下げ、湿度を上昇し過ぎないように制御する。なお、加熱部２２と加湿部２３を同時に運転させることによって、居室１０内の温度低下を防げることができるが、居室１０内の快適性を損なわなければ、加熱部２２と加湿部２３を必ずしも同時に運転させる必要がない。
【手続補正８】
【補正対象書類名】明細書
【補正対象項目名】００３９
【補正方法】変更
【補正の内容】
【００３９】
また、制御部３３は、居室１０内の温度と湿度の変化を検出しながら、必要量の加湿された空気を居室１０内に送風することで、居室１０内における加湿量不足による湿度低下や過加湿による快適性の低下を防ぐことができる。
【手続補正９】
【補正対象書類名】明細書
【補正対象項目名】００４０
【補正方法】変更
【補正の内容】
【００４０】
また、湿度検出センサー３２によって検出された湿度が所定の閾値以下（例えば４０％）の場合、制御部３３は、第２送風部１５の運転を開始させるため、居室１０内の湿度が低湿度と検出された際に、自動に加湿運転を開始することができ、より快適な居室環境を提供することができる。
【手続補正１０】
【補正対象書類名】図面
【補正対象項目名】図２
【補正方法】変更
【補正の内容】
【図２】
2018138828.tif 000001